(57)【要約】【課題】無線伝送システムにおいてシステムの一部に障害が発生した場合に容易に障害発生箇所の検出の実現を目的とする。【解決手段】アドホックネットワーク構成にて、転送先の各映像表示装置が正常時の伝送経路を記憶し、伝送経路の一部に障害が発生した場合、各映像表示装置は伝送経路に変化を生じたことを検出、障害箇所を自発的に判断し、各映像表示装置はあらかじめ定められた対応処理を起動する機能を設ける。【選択図】図２
2004229149.tif 000002
【特許請求の範囲】
【請求項１】
映像情報を記憶、無線配信する映像配信サーバと、複数の無線伝送機能を所有する映像表示装置によるアドホックネットワーク構成の映像表示システムにおいて、
映像表示装置が正常時のデータ伝送経路を記憶して、記憶した正常時のデータ伝送経路と通信時の伝送経路と比較し、その変化より映像表示装置自体が障害箇所を検知し、障害箇所情報を映像配信サーバ及び他の映像表示装置に送信、そして、あらかじめ記憶してある障害時対処用データより、障害箇所に対応した処理を行う映像表示システム。
【請求項２】
請求項１に記載の映像表示システムにおいて、
前記映像配信サーバは、映像情報を記憶、無線配信し、外部ネットワークと繋がっていて、システム内のネットワークにおいて障害箇所を検知した時、あらかじめ記憶してある障害箇所に対応した処理を行う映像表示システム。
【請求項３】
請求項１に記載の映像表示システムにおいて、
前記映像表示装置は、無線伝送可能で、アドホックネットワークの伝送経路を記憶し、障害発生時に自発的にネットワーク内の障害を検出する映像表示システム。
【請求項４】
請求項３に記載の映像表示システムにおいて、
前記映像表示装置は、ネットワーク内に障害が発生した時にその障害箇所によって記憶された対処用データより、対応処理を行う無線伝送機能付きの映像表示システム。
【請求項５】
請求項１に記載の映像表示システムにおいて、連動する映像データを位置関係の固定された複数の映像表示装置によって表示し、障害発生によって映像表示装置の一つまたは複数が故障した時でも、自発的に動作する映像表示装置を検知し、映像データを表示する映像表示システム。
【請求項６】
映像を配信するサーバ又は上流の映像表示装置から映像データを受信し、前記映像データを表示すると共に下流の映像表示装置へ送信する映像表示装置において、
前記映像データを表示する表示部と、
前記サーバ又は上流の映像表示装置及び前記下流の映像表示装置との無線通信を行うための通信部と、
前記サーバが前記映像データを配信すべき経路を定めた伝送経路情報及び前記映像データを記憶する記憶装置と、
前記記憶装置から前記映像データを読み出して、前記表示装置へ転送する表示制御部と、
前記伝送経路情報から当該映像表示装置が通信すべき下流の映像表示装置を特定し、特定された前記下流の映像表示装置との通信を確立できるか否かを判断する判断部とを備え、
前記通信部は、前記判断部が前記下流の映像表示装置との通信を確立できないと判断した場合に、通信障害発生情報を、前記サーバ又は上流の映像表示装置へ送信する映像表示装置。
【請求項７】
請求項６に記載の映像表示装置において、
前記判断部は、前記下流の映像表示装置へ通信要求を送信し、ビジー応答を前記下流の映像表示装置から受信した場合に、前記下流の映像表示装置との通信を確立できないと判断する映像表示装置。
【請求項８】
請求項６に記載の映像表示装置において、
時間をカウントするタイマ部を備え、
前記通信部は、前記下流の映像表示装置へ通信要求を送信し、
前記タイマ部は、前記通信要求を送信してからの時間をカウントし、
前記判断部は、前記通信要求を送信してからの時間が予め定めた時間に到達した時点で前記下流の映像表示装置から応答がなかった場合に、前記下流の映像表示装置との通信を確立できないと判断する映像表示装置。
【請求項９】
請求項６に記載の映像表示装置において、
前記通信部は、前記通信障害発生情報に応じた映像データを、前記サーバ又は上流の映像表示装置から受信して、前記記憶装置へ格納し、
前記判断部は、前記通信障害発生情報に応じた映像データを、前記記憶装置から読み出して、前記表示部へ転送する映像表示装置。
【請求項１０】
請求項６に記載の映像表示装置において、
前記通信部は、前記伝送経路情報を、前記サーバ又は上流の映像表示装置から受信し、前記記憶装置に格納する映像表示装置。
【請求項１１】
請求項６に記載の映像表示装置において、
前記判断部は、前記通信部が前記上流の映像表示装置から通信要求を受信した場合に、前記伝送経路情報に基づいて、通信要求を送信した前記上流の映像表示装置が、当該映像表示装置が通信すべき上流の映像表示装置か否かを判断し、
前記通信部は、通信要求を送信した前記上流の映像表示装置との通信を確立し、
前記通信部は、通信要求を送信した前記上流の映像表示装置が、当該映像表示装置が通信すべき上流の映像表示装置でないと前記判断部が判断した場合に、前記通信障害発生情報を、通信要求を送信した前記上流の映像表示装置へ送信する映像表示装置。
【発明の詳細な説明】
【０００１】
【発明の属する技術分野】
本発明は、無線伝送方式によるネットワーク構成の映像表示装置とそのシステムにおいて、障害検出に関する。
【０００２】
【従来の技術】
有線式の伝送路を建物の建設時に先行配線しながらも、各種機能の装置を所望の場所で使用できるようにする。
【０００３】
例として特許文献１に記載のように、情報器具Ａは天井に取り付けたベースユニットと、ベースユニットに対して電気的かつ機械的に着脱される機能ユニットとからなる。機能ユニットはデータ端末器との間で無線信号を授受し、ベースユニットに接続されたツイストペアケーブルを伝送するデータと交換する無線中継器よりなる。したがって、ベースユニットを適宜配置し、ツイストペアケーブルを先行配線しておき、その後にデータ端末器の使用位置等に応じて無線中継器を配置することができる。
【０００４】
特許文献２には、ネットワークエレメントをもつ経路制御情報を取得し、過去の経路制御情報と比較して相違する点を抽出し、この相違した点を解析してネットワークの障害箇所を特定することが開示されている。
【０００５】
【特許文献１】特開平８−２９８６９０号公報
【特許文献２】特開２０００−３２４１０６号公報
【０００６】
【発明が解決しようとする課題】
上記従来技術では、無線転送先の端末器に障害が発生しても、検出する手段がなく、障害検出のために別途センサ、設備を用意する必要があった。
【０００７】
本発明の目的は、通常の通信システム以外のセンサ及び設備を別途用意せずに、容易に障害箇所を検出可能なシステム及び方法を提供することである。
【０００８】
【課題を解決するための手段】
本発明は、ネットワーク構成について、無線アドホックネットワーク構成を採用する。そして、転送先の各映像表示装置が正常時の伝送経路を記憶する。
【０００９】
そして、伝送経路の一部に障害が発生した場合、各映像表示装置は正常時の伝送経路と現在の伝送経路とを比較し、伝送経路に変化を生じたことを検出、障害箇所を自発的に判断し、各映像表示装置はあらかじめ定められた対応処理を起動する。
【００１０】
【発明の実施の形態】
以下，本発明の第一の実施形態について図１〜７を用いて説明する。
【００１１】
図１は、無線アドホックネットワーク構成の映像表示システムの第一実施形態である。外部回線網１０４に接続され、各映像表示装置１０１に対し映像表示を制御する映像配信サーバ１００から各映像表示装置１０１に配信映像データ１０２を、無線デバイスを備えた端末によって各端末間通信にてネットワークが構成されるアドホックネットワーク構成で伝送する。ここで各映像表示装置１０１は、無線通信機能を備え、映像表示装置同士で通信を行うことが可能で、記憶装置を搭載し、映像データ１０２、経路情報等の記憶が可能である。また、伝送経路は、アドホックネットワークの経路決定アルゴリズムと端末の位置関係によって決定される。例えば、図１のネットワーク構成の伝送経路では、位置が近い端末同士を通信するように、映像配信サーバ１００、映像表示装置１０１−Ａ、映像表示装置１０１−Ｂ、映像表示装置１０１−Ｃ、そして映像表示装置１０１−Ｄの順に伝送経路が構成される。映像表示装置１０１−Ａは、映像配信サーバ１００、または他の映像表示装置１０１−Ｂからの各配信映像データ１０２を含む無線通信信号１０３を受け取り、無線通信信号１０３のヘッダ部に示された情報より、映像表示装置１０１−Ａ用の配信映像データ１０２を取得し、記憶、または表示させる。その後、無線通信信号１０３のヘッダ部に示された情報から、後段で必要な映像データ１０２を無線通信信号１０３として次の映像表示装置１０１−Ｂに伝送する。同様に、映像表示装置１０１−Ｂから映像表示装置１０１−Ｃへ、映像表示装置１０１−Ｃから映像表示装置１０１−Ｄへと、各端末を介し配信映像データ１０２を伝送する。映像配信サーバ１００は、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）等の外部回線網１０４に接続され、インターネットや本ネットワーク外からの情報を取得することもできる。
【００１２】
図２は、第一実施形態の映像表示システムにおける障害発生時の様子を示す。映像表示装置１０１−Ｂに障害２００が発生した例を示す。障害２００は、映像表示装置１０１の故障、例として通信不能、映像表示不能や電源の供給がなくなる、または、盗難等によって正常時通りに映像情報を通信及び表示できなくなる状態を示す。障害２００により映像表示装置１０１−Ｂに関わる通信が行われなくなることで、送信側の映像表示装置１０１−Ａにおいては映像表示装置１０１−Ｂからレスポンスが返されない、送信先の映像表示装置１０１−Ｃにおいては来るべきタイミングで映像表示装置１０１−Ｂから送信が来ない、または正常時とは異なる映像表示装置１０１−Ａから無線通信信号２０１の送信を受け取るように正常時とは異なる伝送経路でネットワークが構成される。このとき、映像表示装置１０１が正常時の伝送経路を記憶していることで、正常時と異なる伝送経路が構成されたことを映像表示装置１０１−Ａ、１０１−Ｃ自体が検知し、映像送信サーバ１００及び他の映像表示装置１０１に障害箇所検出情報２０２を発信する。映像送信サーバ１００、各映像表示装置１０１は障害発生対応処理を起動する。映像送信サーバ１００の障害発生対応処理は、例えば、障害発生通報２０３を外部ネットワークに配信する等である。また、映像表示装置１０１の障害発生対応処理は、例えば、非常口情報の表示２０４等、場所や場合によって対応した映像を表示することである。
【００１３】
図３は、映像表示装置１０１の構成図である。映像表示装置１０１は、プラズマディスプレイパネル、液晶ディスプレイパネル、ＣＲＴ等の各種表示媒体で構成された情報処理部３０１より送信される映像データを表示する映像表示部３００と、映像配信サーバ１００及び他の映像表示装置１０１と双方向無線通信を行うための無線通信部３０３と、送信されてきた映像データ１０２等を一時的に保存するバッファ部３０２と、通信レスポンスの有無及びスケジューリング用タイマ３１１と演算や制御を行う情報処理部３０１から構成される。情報処理部３０１は、映像配信サーバ１００及び他の映像表示装置１０１から送信されてきた映像データ１０２をバッファ部３０２に蓄積するバッファ制御ブロック３０８、映像表示部３００にて映像の表示処理を行う映像表示制御ブロック３０７、他の映像表示装置１０１へのデータ送受信を処理する無線通信制御ブロック３０９、他の映像表示装置１０１からの情報または正常時伝送経路情報３０５より障害検知及びそのための処理を行う障害検出処理ブロック３１０を搭載することで、無線通信部３０３からの入力を判断し、さまざまな制御を行う。
【００１４】
このなかで障害検出処理ブロック３１０は、バッファ部３０２に記憶されている正常時伝送経路情報３０５と現伝送経路を比べて他の映像表示装置１０１の障害を検出し、その障害対処用データ３０６を表示するようバッファ制御ブロック３０８、映像表示制御ブロック３０７へ命令する処理と他の映像表示装置１０１に送信するための障害箇所検出情報２０２を作成し、無線通信制御ブロック３０９に障害箇所検出情報２０２の送信命令を発信する等、障害発生時の処理を行う。
【００１５】
障害箇所検出のための正常時伝送経路情報３０５および他の映像表示装置１０１が障害を受けた場合それぞれの対応処理データ３０６をあらかじめ映像送信サーバ１００より送信されて、バッファ部３０２に記憶しておく。
【００１６】
図４は、無線通信信号１０３の構造を示す。無線通信信号１０３は、伝送の開始や送信する信号の種類等の信号受信にあらかじめ必要な情報のヘッダ部４００、映像データや障害情報等の通信の目的である情報のデータ部４０１、誤動作検出用情報、伝送が無事に終了したという情報のフッダ部４０２によって構成される。ここで送信する信号の種類には、映像表示装置１０１の無線通信部３０３によって生成される通信用の信号や、映像配信サーバからの映像データ３０４、ネットワーク情報等の映像表示装置１０１の制御に必要な制御信号等がある。
【００１７】
図５は、映像表示装置１０１間の無線通信に関する応答を示す図である。ここで、正常時の伝送経路は映像表示装置１０１−Ａ、映像表示装置１０１−Ｂ、映像表示装置１０１−Ｃの順とし、時間軸５００は下方向とする。あるデータ５０１を映像表示装置１０１−Ａ〜１０１−Ｂ〜１０１−Ｃと経由し、伝送する場合の映像表示装置１０１間のフローを示している。データ５０１送信側は送信要求５０２をデータ５０１受信側に対し送信する。データ５０１受信側は、送信要求５０２に対し、送信可否の信号をデータ５０１送信側に返信する。この送信可否の信号は、データ５０１受信側が通信を使用していない通信待機状態であれば送信可（Ｒｅａｄｙ５０３−１）を返信し、他の映像表示装置と通信中等の他処理のために通信不可能な状態５０４であれば、送信不可（Ｂｕｓｙ５０３−２）を送信する。そして、データ５０１受信側からＲｅａｄｙ５０３−１が返信されたら、データ５０１送信側はデータ５０１をデータ５０１受信側へ送信する。そして、図４に示した無線信号構造のフッタ部４０２に含まれる誤り検出情報より、誤り無く受信終了した場合は受信応答５０５をデータ５０１受信側はデータ５０１送信側に返信し、補正が不可能な誤りデータ５０１−ｅと検知した場合の再送信要求等の送受信エラー５０６をデータ５０１受信側はデータ５０１送信側に返信する。
【００１８】
次に、障害２００が映像表示装置１０１−Ｂに発生した通信応答の説明をする。正常時通り映像表示装置１０１−Ａから映像表示装置１０１−Ｂへ送信要求を送信するが、映像表示装置１０１−Ｂからの送信可否の信号５０３（Ｒｅａｄｙ５０３−１、Ｂｕｓｙ５０３−２）が返信されないため、本実施例ではアドホック構成のネットワークであることから、正常時には存在しない無線通信信号２０１が発生し、正常時と異なる伝送経路で構成する。そこで、映像表示装置１０１−Ａ及び映像表示装置１０１−Ｃは、映像表示装置１０１−Ａ及び映像表示装置１０１−Ｃ自信が記憶している正常な伝送経路情報が示す通信先と通信相手を比較することで、障害を認識５０７し、映像配信サーバ１００及び他の映像表示装置１０１に障害情報５０８を送信する。
【００１９】
図６は、第一実施形態における映像表示装置１０１の情報処理部３０１のフローチャートである。ここで、正常時の伝送経路は映像表示装置１０１−Ａ、映像表示装置１０１−Ｂ、映像表示装置１０１−Ｃの順であるデータが伝送される例で映像表示装置１０１−Ｂについて、ネットワーク参入から退去まで説明する。まず、映像表示装置１０１―Ｂを本映像表示システムのネットワークに参入させる時、アドホックネットワーク構造のネットワークを構築するための設定、処理を行う（６０１）。映像配信サーバ１００から構築されたネットワークを正常時の伝送経路情報３０５及び対応処理データ３０６を映像表示装置１０１−Ａ経由で受け取り、バッファ部３０２に正常時の伝送経路情報３０５及び対応処理データ３０６を記憶する処理を行う（６０２）。通常動作を開始（６０３）すると、映像表示部３００にバッファ部３０２にある映像データ３０４を表示するように映像表示制御ブロック３０７及びバッファ制御ブロック３０８は処理をネットワーク退去のために終了するまで繰返し行う（６０５）。一方、映像配信サーバ１００や映像表示装置１０１−Ｂ以外の映像表示装置１０１からの無線通信信号１０２を受信すると割込み発生（６０４）となり、無線通信制御ブロック３０９はデータを受け取り（６０９）、無線通信信号１０２の種類を判断し、送信要求５０２なら、送信可否５０３（Ｒｅａｄｙ５０３−１、Ｂｕｓｙ５０３−２）を返信、ネットワーク情報であれば、映像表示装置１０１の参入及び退去による、ネットワーク再構築が行われるかを判断（６１０）、障害情報を受信及び正常時の伝送経路情報３０５より、障害が発生していないか検出する処理を実行し（６１１）、映像データ１０２であれば、バッファ部３０２に記憶するようにバッファ制御ブロック３０８にて処理（６１２）する。後段の映像表示装置群１０１に必要なデータを次の映像表示装置１０１−Ｃに送信するため無線通信制御ブロック３０９は処理し（６１３）、次の映像表示装置１０１−Ｃへ無線通信信号１０２を送信する（６１４）。ここで、データ送信時の送信要求５０２に対する送信可否５０３（Ｒｅａｄｙ５０３−１、Ｂｕｓｙ５０３−２）の返信の有無を映像表示装置１０１−Ｂに搭載されたタイマ３１１より認識し、障害検出を行う（６１５）。障害検出（６１１、６１５）にて、障害箇所を発見した場合、障害検出処理ブロック３１０は、映像表示部３００に障害対応用の対処データを表示させるように、バッファ制御ブロック３０８へ故障対処情報を送信し、バッファ制御ブロック３０８は障害対応用の対処データを読み出して、映像表示制御ブロック３０７へ渡し、映像表示制御ブロック３０７は、障害対応用の対処データを表示する。他の映像表示装置１０１に対して障害箇所情報２０１を送信するための処理を無線通信制御ブロック３０９が行う。ネットワークから映像表示装置１０１−Ｂを退去させる場合、故障ではないがネットワークから退去することを映像配信サーバ１００及び他の映像表示装置１０１に通知する映像表示装置１０１−Ｂの終了処理（６０７）を行う。また、映像表示装置１０１−Ｂ以外の映像表示装置１０１がネットワークへ参入及びネットワークから終了処理（６０７）を行って退去する場合、映像表示装置１０１−Ｂはネットワークの再構築（６１０）を映像配信サーバ１００からの情報によって検知し、正常時の伝送経路及び対処データを記憶し直す（６０２）。
【００２０】
図７は、映像配信サーバ１００の構成図である。映像配信サーバ１００は、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）等の外部回線網１０４に接続するためのルータ等の回線網通信部７００、各種演算および処理を行う情報処理部７０１、大容量の映像データ等を記憶するバッファ部７０２、映像表示装置１０１へデータを無線通信する無線通信部７０３、通信レスポンスの有無及びスケジューリング用タイマ７１２で構成される。情報処理部７０１では、各映像表示装置１０１におけるネットワーク構築を管理するネットワーク構築管理ブロック７０７、映像配信のスケジュール管理を行う映像配信スケジューリングブロック７１１、障害発生時に各発生箇所の関係を考慮した各映像表示装置１０１に送信する障害対処用データ７０６の振り分ける障害対応管理ブロック７１０、さらに、各構成する装置（回路網通信部７００、バッファ部７０２、無線通信部７０３）の制御等を行う。
【００２１】
次に、本発明の第二の実施形態について、第一の実施形態の説明に用いた図及び図８〜図１２を用い説明する。
【００２２】
第二の実施形態は複数の映像表示装置で連動した映像を表示するマルチディスプレイシステムである。図８にマルチディスプレイシステム表示例８００を示し、図９に、第二実施形態の無線アドホックネットワーク構成の映像表示システムを示す。
【００２３】
マルチディスプレイシステム表示例８００では、縦３×横３の９台の映像表示装置９０１−Ａ〜Ｉによって構成され、各映像表示装置９０１の映像表示部を隙間無く組み合わせ、連動した映像を表示する。映像表示部の表示例８０１−Ａは映像表示装置９０１−Ａの映像データ９０５−Ａ、映像表示部の表示例８０１−Ｂは映像表示装置９０１−Ｂの映像データ９０５−Ｂのように、各映像表示部の表示例８０１−Ａ〜Ｉは、映像表示装置９０１−Ａ〜Ｉに対する映像データ９０５−Ａ〜Ｉに対応した表示である。
【００２４】
第一の実施形態と同様に、第二の実施形態は映像配信サーバ９００から各映像表示装置９０１（９０１−Ａ〜Ｉ）に配信映像データ９０２をアドホックネットワーク構成で無線配信する。第二の実施形態のシステムではあらかじめ、各映像表示装置９０１間の位置関係は固定され、配信映像データ９０２の伝送経路９０３は、映像表示装置９０１−Ａ、映像表示装置９０１−Ｂ、映像表示装置９０１−Ｃ…の様に、各映像表示装置９０１の設置によって一様に決定される。そこで、ネットワークを構築する際に各映像表示装置９０１伝送経路９０３順に名前９０４を割り付け、各映像表示装置９０１は伝送経路９０３を記憶する。映像配信サーバ９００は、各映像表示装置９０１の名前９０４に対応した映像データ群（映像データ９０２）を無線送信し、各映像表示装置９０１は、対応した映像データ９０５（９０５−Ａ〜Ｉ）を受け取り、後段の映像表示装置９０１に必要な配信映像データ９０２を後段の映像表示装置９０１に無線送信する。各映像表示装置９０１はそれぞれに対応した映像データ９０５を表示する。
【００２５】
図１０は障害時のマルチディスプレイシステム表示例を示し、図１１に、第二実施形態の映像表示システムにおける障害発生時の様子を示す。映像表示装置９０１−Ｈに障害１１００が発生した例を示す。
【００２６】
マルチディスプレイシステム表示例１０００では、縦３×横３の９台の映像表示装置９０１−Ａ〜Ｉによって構成され、各映像表示装置９０１の映像表示部を隙間無く組み合わせ、連動した映像を表示する。映像表示部の表示例１００１−Ａは映像表示装置９０１−Ａの障害発生時用映像データ１１０４−Ａ、映像表示部の表示例１００１−Ｂは映像表示装置９０１−Ｂの障害発生時用映像データ１１０４−Ｂのように、各映像表示部の表示例１００１−Ａ〜Ｉは、映像表示装置９０１−Ａ〜Ｉに対する障害発生時用映像データ１１０４−Ａ〜Ｉに対応した表示である。但し、映像表示装置９０１−Ｈは障害が発生しているため、障害発生時用映像データ１１０４−Ｈは存在せず、表示例１００１−Ｈは障害によって表示が制御できないとする。
【００２７】
障害１１００により映像表示装置９０１−Ｈに関わる通信が行われなくなることで、送信側の映像表示装置９０１−Ｇにおいては映像表示装置９０１−Ｈからレスポンスが返されない、送信先の映像表示装置９０１−Ｉにおいては来るべきタイミングで映像表示装置９０１−Ｈから送信が来ない、または正常時とは異なる映像表示装置９０１−Ｄから無線通信信号１１０１の送信を受け取る等のように、正常時とは異なる伝送経路でネットワークが再構成される。映像表示装置９０１が正常時の伝送経路を記憶していることで、正常時と異なる伝送経路が構成されたことを映像表示装置９０１−Ｄ、９０１−Ｇ、９０１−Ｉ自体が検知し、映像送信サーバ９００及び他の映像表示装置９０１に障害箇所検出情報１１０２を発信する。映像送信サーバ９００及び、各映像表示装置９０１は障害箇所に対する障害発生対応処理を起動する。例として、端の映像表示装置９０１の故障であれば、故障した映像表示装置９０１のある１行（または１列、以下故障列１１０３）の映像を消して、欠けているように見えなくする。故障列１１０３が正常時に重要な映像情報表示する映像データが送信、表示される場合、他の故障していない映像表示装置９０１は、正常時と異なる対応映像データ（故障発生時用映像データ１１０４）を映像配信サーバ９００または、各映像表示装置９０１から受け取り、重要な映像情報を表示する。また、正常時と縮尺を変更した映像データ（故障発生時用映像データ１１０４）を映像配信サーバ９００は、各映像表示装置９０１−Ａ〜Ｉに送信して、各映像表示装置９０１−Ａ〜Ｉは故障発生時用映像データ１１０４−Ａ〜Ｉとして表示する。
【００２８】
第二実施形態の映像表示装置９０１の構成は第一実施形態の映像表示装置１０１の構成と同様で図３、第二実施形態の映像表示装置９０１間の無線通信に関する応答は第一実施形態の映像表示装置１０１の構成と同様で図５、第二実施形態の映像配信サーバ９００の構成は第一実施形態の映像配信サーバ１００の構成と同様で図７に示す。
【００２９】
図１２は、第二実施形態における映像表示装置９０１の情報処理部３０１のフローチャートである。ここで、正常時の伝送経路は映像表示装置９０１−Ａ、映像表示装置９０１−Ｂ、映像表示装置９０１−Ｃ…の順であるデータが伝送される例で映像表示装置９０１−Ｂについて、マルチディスプレイシステム稼動から終了まで説明する。まず、マルチディスプレイシステム稼動時、映像表示装置９０１−Ｂは、映像表示装置９０１−Ａ経由にて映像配信サーバ９００より、アドホックネットワーク構造のネットワークを構築するための設定、処理を行う（１２０１）。映像配信サーバ９００から映像表示装置へ名前９０４を割付け、正常時の伝送経路情報３０５を映像表示装置９０１−Ａ経由で受け取り、バッファ部３０２に正常時の伝送経路情報３０５及び対応処理データ３０６を記憶する処理を行う（１２０２）。通常動作を開始（１２０３）すると、映像表示部３００にバッファ部３０２にある映像データ３０４を表示するように映像表示制御ブロック３０７及びバッファ制御ブロック３０８は処理をマルチディスプレイシステム終了するまで繰返し行う（１２０５）。一方、映像配信サーバ９００や映像表示装置９０１−Ｂ以外の映像表示装置９０１からの無線通信信号を受信すると割込み発生（１２０４）となり、無線通信制御ブロック３０９はデータを受け取り（１２０９）、無線通信信号の種類を判断し、送信要求５０２なら、送信可否５０３（Ｒｅａｄｙ５０３−１、Ｂｕｓｙ５０３−２）を返信、映像表示装置９０１−Ｂ以外の映像表示装置９０１からの終了信号であればマルチディスプレイシステム終了（１２１０）、障害情報を受信及び正常時の伝送経路情報３０５より、障害が発生していないか検出する処理を実行し（１２１１）、映像データ群９０２であれば、バッファ部３０２に記憶するようにバッファ制御ブロック３０８にて処理（１２１２）する。後段の映像表示装置群９０１に必要なデータを次の映像表示装置９０１−Ｃに送信するため無線通信制御ブロック３０９は処理し（１２１３）、次の映像表示装置９０１−Ｃへ無線通信信号を送信する（１２１４）。ここで、データ送信時の送信要求５０２に対する送信可否５０３（Ｒｅａｄｙ５０３−１、Ｂｕｓｙ５０３−２）の返信の有無を映像表示装置９０１−Ｂに搭載されたタイマ３１１より認識し、障害検出を行う（１２１５）。障害検出（１２１１、１２１５）にて、障害箇所を発見した場合、障害検出処理ブロック３９０は、映像表示部３００に障害対応用の対処データを表示させるように、バッファ制御ブロック３０８へ故障対処情報を送信し、バッファ制御ブロック３０８は障害対応用の対処データを読み出して、映像表示制御ブロック３０７へ渡し、映像表示制御ブロック３０７は、障害対応用の対処データを表示する。他の映像表示装置９０１に対して障害箇所情報１１０２を送信するための処理を無線通信制御ブロック３０９が行う。映像表示装置９０１−Ｂの終了させたい時は、マルチディスプレイシステムを終了となり、映像配信サーバ９００及び他の映像表示装置９０１に映像表示装置９０１−Ｂが終了する事を通知する映像表示装置９０１−Ｂの終了処理（１２０７）を行う。
【００３０】
【発明の効果】
本発明によれば、通常の通信システム以外のセンサ及び設備を別途用意せずに、ソフトウエアのみで容易に障害箇所の自動検出機能を搭載することが可能となる。さらに、システム規模の大小に関係なく、容易に障害検出システムを導入することが可能となる。また、伝送経路が無線であるため、有線で発生するような断線による誤検出が発生しない。
【図面の簡単な説明】
【図１】本発明の第一実施形態におけるシステム構成図である。
【図２】本発明の第一実施形態における障害発生時のシステム構成図である。
【図３】本発明の映像表示装置内部構造図である。
【図４】本発明の無線データ構成図である。
【図５】本発明の映像表示装置間通信応答図である。
【図６】本発明の第一実施形態における映像表示装置情報処理部のフローチャートである。
【図７】本発明の映像配信サーバ内部構造図である。
【図８】本発明の第二実施形態における表示例である。
【図９】本発明の第二実施形態におけるシステム構成図である。
【図１０】本発明の第二実施形態における障害発生時の表示例である。
【図１１】本発明の第二実施形態における障害発生時のシステム構成図である。
【図１２】本発明の第二実施形態における映像表示装置情報処理部のフローチャートである。
【符号の説明】
１００…映像配信サーバ、１０１…映像表示装置、１０１−Ａ〜Ｄ…映像表示装置Ａ〜Ｄ、１０２…映像データ、１０３…無線通信信号、１０４…ＷＡＮ（Ｗｉｄｅ  Ａｒｅａ  Ｎｅｔｗｏｒｋ）、ＶＰＮ（Ｖｉｒｔｕａｌ  ＰｒｉｖａｔｅＮｅｔｗｏｒｋ）等公衆回線網、２００…障害、２０１…障害時の無線通信路、２０２…故障箇所検出情報、２０３…障害発生通報、２０４…障害発生対処表示、３００…映像表示部、３０１…情報処理部、３０２…バッファ部、３０３…無線通信部、３０４…記憶映像データ、３０５…正常時伝送経路情報、３０６…障害時対処用データ、３０７…映像表示制御ブロック、３０８…バッファ制御ブロック、３０９…無線通信制御ブロック、３１０…障害判定＆処理ブロック、３１１…タイマ、４００…無線通信信号ヘッダ部、４０１…無線通信信号データ部、４０２…無線通信信号フッダ部、５００…時間軸、５０１…送信データ、５０１−ｅ…誤りデータ、５０２…送信要求、５０３…送信可否、５０３−１…通信可、５０３−２…通信不可、５０４…通信期間、５０５……受信応答、５０６…送受信エラー、５０７…障害認識、５０８…障害情報、６００…開始、６０１…ネットワーク構築用設定及び処理、６０２…正常時伝送経路及び対処データ記憶処理、６０３…通常動作開始、６０４…割込み発生判断、６０５…映像表示処理、６０６…終了判定、６０７…ネットワーク用終了処理、６０８…終了、６０９…受信処理、６１０…ネットワーク再構築判断、６１１…障害判定、６１２…映像データ記憶処理、６１３…通信制御、６１４…送信処理、６１５…障害判定、６１６…障害対応処理、６１７…障害時用表示、６１８…障害情報送信、７００…回路網通信部、７０１…情報処理部、７０２…バッファ部、７０３…無線通信部、７０４…記憶映像データ、７０５…正常時伝送経路情報、７０６…障害時対処用データ、７０７…ネットワーク構築管理ブロック、７０８…バッファ制御ブロック、７０９…通信制御ブロック、７１０…障害対応管理ブロック、７１１…映像配信スケジューリングブロック、７１２…タイマ、８００…マルチディスプレイシステム表示例、８０１−Ａ〜Ｉ…映像表示部表示例Ａ〜Ｉ、９００…映像配信サーバ、９０１…映像表示装置、９０１−Ａ〜Ｉ…映像表示装置Ａ〜Ｉ、９０２…映像データ、９０３…伝送経路、９０４…名前、９０５…各対応映像データ、９０５−Ａ〜Ｉ…各対応映像データＡ〜Ｉ、１０００…障害時マルチディスプレイシステム表示例、１００１−Ａ〜Ｉ…障害時映像表示部表示例Ａ〜Ｉ、１１００…障害、１１０１…異常時の無線通信信号、１１０２…障害箇所検出情報、１１０３…故障列、１１０４…故障発生時用映像データ群、１１０４−Ａ〜Ｉ…故障発生時用映像データＡ〜Ｉ、６００…開始、１２０１…ネットワーク構築用設定及び処理、１２０２…名前設定＆正常時伝送経路記憶、１２０３…通常動作開始、１２０４…割込み発生判断、１２０５…映像表示処理、１２０６…終了判定、１２０７…マルチディスプレイ終了処理、１２０８…終了、１２０９…受信処理、１２１０…終了判断、１２１１…障害判定、１２１２…映像データ記憶処理、１２１３…通信制御、１２１４…送信処理、１２１５…障害判定、１２１６…障害対応処理、１２１７…障害時用表示、１２１８…障害情報送信
【図１】
2004229149.tif 000003
【図２】
2004229149.tif 000004
【図３】
2004229149.tif 000005
【図４】
2004229149.tif 000006
【図５】
2004229149.tif 000007
【図６】
2004229149.tif 000008
【図７】
2004229149.tif 000009
【図８】
2004229149.tif 000010
【図９】
2004229149.tif 000011
【図１０】
2004229149.tif 000012
【図１１】
2004229149.tif 000013
【図１２】
2004229149.tif 000014